(57)【特許請求の範囲】
【請求項１】
情報が印字された用紙（２１）をフィルム（７，８）を用いて所定の折り畳み状態に保持したカード状情報保持体（１，１’）において、
前記用紙（２１）からなる展開シート（５）に、主情報印字部（２）と、この主情報印字部（２）に対して平面視矩形状で小形の情報被覆部（３，４）とが設けられ、
前記展開シート（５）を折り畳んで前記主情報印字部（２）及び情報被覆部（３，４）を重ね合わせて一枚のカード状体（６）にした状態で、前記カード状体（６）の一面側から前記主情報印字部（２）及び情報被覆部（３，４）の各外周部に跨るように前記フィルム（７，８）が貼付され、
前記フィルム（７，８）における前記情報被覆部（３，４）の開き側の少なくとも一つの角部の外縁に沿うように、前記情報被覆部（３，４）を剥がす際の起点となるカット（１１，１２）が形成され、
前記カット（１１，１２）には、前記情報被覆部（３，４）を剥がす際に破断する易破断部（１１ｃ，１２ｃ）が設けられることを特徴とするカード状情報保持体。
【請求項２】
前記カット（１１，１２）が、前記情報被覆部（３，４）の外縁に沿うように配された第一及び第二カット部（１１ａ，１１ｂ，１２ａ，１２ｂ）を有し、これら各カット部（１１ａ，１１ｂ，１２ａ，１２ｂ）間に、前記易破断部（１１ｃ，１２ｃ）が設けられることを特徴とする請求項１に記載のカード状情報保持体。
【請求項３】
情報が印字された用紙（２１）をフィルム（７，８）を用いて所定の折り畳み状態に保持したカード状情報保持体（１，１’）において、
前記用紙（２１）からなる展開シート（５）に、主情報印字部（２）と、この主情報印字部（２）に対して小形の情報被覆部（３，４）とが設けられ、
当該カード状情報保持体（１）の捺印面（１ａ）とは反対側の片面（１ｂ）の全面に、前記フィルム（８）が貼付され、
前記展開シート（５）を折り畳んで前記主情報印字部（２）及び情報被覆部（３，４）を重ね合わせて一枚のカード状体（６）にした状態で、前記カード状体（６）の一面側から前記主情報印字部（２）及び情報被覆部（３，４）の各外周部に跨るように前記フィルム（７，８）が貼付され、
前記フィルム（７，８）における前記情報被覆部（３，４）の外縁の一部に沿う部位に、前記情報被覆部（３，４）を剥がす際の起点となるカット（１１，１２）が形成され、
前記カット（１１，１２）には、前記情報被覆部（３，４）を剥がす際に破断する易破断部（１１ｃ，１２ｃ）が設けられることを特徴とするカード状情報保持体。
【請求項４】
当該カード状情報保持体（１）が三つ折りの折り畳みハガキであり、その捺印面（１ａ）において、前記フィルム（７）が当該カード状情報保持体（１）の外周部のみに貼付されることを特徴とする請求項１から３の何れか１項に記載のカード状情報保持体。
【請求項５】
当該カード状情報保持体（１）が三つ折りの折り畳みハガキであり、その捺印面（１ａ）に貼付される前記フィルム（７）が、捺印特性のあるマット調とされることを特徴とする請求項１から３の何れか１項に記載のカード状情報保持体。
【請求項６】
情報が印字された用紙（２１）をフィルム（７，８）を用いて所定の折り畳み状態に保持したカード状情報保持体（１，１’）の開封方法において、
前記用紙（２１）からなる展開シート（５）に、主情報印字部（２）と、この主情報印字部（２）に対して平面視矩形状で小形の情報被覆部（３，４）とが設けられ、
前記展開シート（５）を折り畳んで前記主情報印字部（２）及び情報被覆部（３，４）を重ね合わせて一枚のカード状体（６）にした状態で、前記カード状体（６）の一面側から前記主情報印字部（２）及び情報被覆部（３，４）の各外周部に跨るように前記フィルム（７，８）が貼付され、
前記フィルム（７，８）における前記情報被覆部（３，４）の開き側の少なくとも一つの角部の外縁に沿うように、前記情報被覆部（３，４）を剥がす際の起点となるカット（１１，１２）が形成され、
前記カット（１１，１２）には、前記情報被覆部（３，４）を剥がす際に破断する易破断部（１１ｃ，１２ｃ）が設けられ、
前記易破断部（１１ｃ，１２ｃ）を破断した後、前記カット（１１，１２）を起点に前記フィルム（７，８）を破断しつつ、前記情報被覆部（３，４）を前記主情報印字部（２）から剥がすことを特徴とするカード状情報保持体の開封方法。
【請求項７】
情報が印字された用紙（２１）をフィルム（７，８）を用いて所定の折り畳み状態に保持したカード状情報保持体（１，１’）の製造方法において、
前記用紙（２１）を所定の展開形状に切断して展開シート（５）とする用紙切断工程（Ｓ１）と、
前記展開シート（５）の主情報印字部（２）とこれに対して小形の情報被覆部（３，４）との合わせ面に糊を塗布する糊塗布工程（Ｓ２）と、
前記展開シート（５）を折り畳んで前記主情報印字部（２）及び情報被覆部（３，４）を重ね合わせて一枚のカード状体（６）にする折り畳み工程（Ｓ３）と、
前記カード状体（６）の一面側から前記主情報印字部（２）及び情報被覆部（３，４）の各外周部に跨るように前記フィルム（７，８）を貼付するフィルム貼付工程（Ｓ４，Ｓ７）と、
前記フィルム（７，８）における前記情報被覆部（３，４）の外縁の一部に沿う部位に前記情報被覆部（３，４）を剥がす際の起点となりかつ前記情報被覆部（３，４）を剥がす際に破断する易破断部（１１ｃ，１２ｃ）を有するカット（１１，１２）を形成するカット形成工程（Ｓ６，Ｓ１１）と、
を備えることを特徴とするカード状情報保持体の製造方法。
【請求項８】
当該カード状情報保持体（１’）が二つ折りの折り畳みハガキであり、
前記フィルム貼付工程（Ｓ４）が、前記捺印面（１ａ）とは反対側の片面（１ｂ）の全面に前記フィルム（８）を貼付する裏側フィルム貼付工程（Ｓ４）を有することを特徴とする請求項７に記載のカード状情報保持体の製造方法。
【請求項９】
当該カード状情報保持体（１）が三つ折りの折り畳みハガキであり、
前記フィルム貼付工程（Ｓ４，Ｓ７）が、当該カード状情報保持体（１）の捺印面（１ａ）の外周部のみに前記フィルム（７）を貼付する表側フィルム貼付工程（Ｓ７）と、前記捺印面（１ａ）とは反対側の片面（１ｂ）の全面に前記フィルム（８）を貼付する裏側フィルム貼付工程（Ｓ４）とを有することを特徴とする請求項７に記載のカード状情報保持体の製造方法。
【請求項１０】
前記表側フィルム貼付工程（Ｓ７）の前に、前記捺印面（１ａ）に貼付する前記フィルム（７）を矩形状の前記カード状体（６）の外周部に沿ってカットするフィルムカット工程（Ｓ８）を備えることを特徴とする請求項９に記載のカード状情報保持体の製造方法。
【請求項１１】
前記展開シート（５）が複数連続して形成されると共に、前記フィルム（７）が前記展開シート（５）に合わせて複数連続して形成され、
前記フィルムカット工程（Ｓ８）が、前記捺印面（１ａ）に貼付する前記フィルム（７）を矩形状の前記カード状体（６）の外周四辺に沿うロ字形状にカットすると共に、複数の前記フィルム（７）を梯子形に連続させることを特徴とする請求項１０に記載のカード状情報保持体の製造方法。
【請求項１２】
前記展開シート（５）が複数連続して形成されると共に、前記フィルム（７）が前記各展開シート（５）に合わせて複数連続して形成され、
前記フィルムカット工程（Ｓ８）が、前記捺印面（１ａ）に貼付する前記フィルム（７）を矩形状の前記カード状体（６）の外周三辺に沿うコ字形状にカットすると共に、複数の前記フィルム（７）を櫛形に連続させることを特徴とする請求項１０に記載のカード状情報保持体の製造方法。
【請求項１３】
情報が印字された用紙（２１）をフィルム（７，８）を用いて所定の折り畳み状態に保持したカード状情報保持体（１，１’）の製造装置（２０）において、
前記用紙（２１）を所定の展開形状に切断して展開シート（５）とする用紙切断部（２４）と、
前記展開シート（５）の主情報印字部（２）とこれに対して小形の情報被覆部（３，４）との合わせ面に糊を塗布する糊塗布部（２５）と、
前記展開シート（５）を折り畳んで前記主情報印字部（２）及び情報被覆部（３，４）を重ね合わせて一枚のカード状体（６）にする折り畳み部（２６）と、
前記カード状体（６）の一面側から前記主情報印字部（２）及び情報被覆部（３，４）の各外周部に跨るように前記フィルム（７，８）を貼付するフィルム貼付部（２７，３２）と、
前記フィルム（７，８）における前記情報被覆部（３，４）の外縁の一部に沿う部位に前記情報被覆部（３，４）を剥がす際の起点となりかつ前記情報被覆部（３，４）を剥がす際に破断する易破断部（１１ｃ，１２ｃ）を有するカット（１１，１２）を形成するカット形成部（３１，３７）と、
を備えることを特徴とするカード状情報保持体の製造装置。
【発明の詳細な説明】
【技術分野】
【０００１】
本発明は、折り畳みハガキ等のカード状情報保持体、及びその開封方法、製造方法、並びに製造装置に関する。
【背景技術】
【０００２】
特許文献１，２には、感圧接着剤等の所定の条件が付与されると接着可能となる接着剤を用いて、平坦なシートを二つ折り又は三つ折りの折り畳み状態に保持し、その接着面に印字した親展情報を隠蔽可能とした、圧着ハガキ等のカード状情報保持体に関する技術開示がある。
他方、特許文献３、４には、分離可能な二層の接着フィルムを一対のハガキ用紙の親展面間に挟み込み、これらを加熱押圧することで親展用ハガキとするようにした、カード状情報保持体に関する技術開示がある（例えば、特許文献３，４参照）。
【先行技術文献】
【特許文献】
【０００３】
【特許文献１】特許第２７２９１８２号公報
【特許文献２】特開２００５−２８１５６６号公報
【特許文献３】特開平０６−１０６８８１号公報
【特許文献４】特許第３８４４８００号公報
【発明の概要】
【発明が解決しようとする課題】
【０００４】
ところで、上記前者の技術では、用紙メーカーで予め接着剤を塗布した専用紙を用いるため、製造コストが高くなるという課題がある。また、前記専用紙には使用有効期限があり、この期限内に情報の印字を行い折り畳んで製品化できない場合、品質劣化による接着不良が発生するため、在庫リスクや廃棄コストが生じるという課題がある。
また、前記接着剤を塗布する前の紙に情報を印字し、その後に接着剤の塗工を行うことも考えられるが、溶剤系の接着剤を用いる場合には防爆環境での塗工が必要となり、設備運用負荷が生じるという課題がある。また、適正接着力を出すための条件設定用のリード紙が多くなり、対資材製品歩留まりが悪くなるという課題がある。
このような課題は後者の技術は有さないものの、フィルムの挟み込みによるハガキタイプのカード状情報保持体の場合、積層フィルムや三層以上の多層フィルムを使用するため、材料コストが高くなるという課題がある。また、前記フィルムの性質上、剥離後に再度アイロン等で熱圧着が可能となり、親展性が低くなるという課題がある。
【０００５】
そこで本発明は、感圧接着剤や多層フィルムを用いることなく製造コストを抑えると共に親展性を高めた折り畳み式のカード状情報保持体、及びその開封方法、製造方法、並びに製造装置を提供する。
【課題を解決するための手段】
【０００６】
上記課題の解決手段として、請求項１に記載した発明は、
情報が印字された用紙（２１）をフィルム（７，８）を用いて所定の折り畳み状態に保持したカード状情報保持体（１，１’）において、
前記用紙（２１）からなる展開シート（５）に、主情報印字部（２）と、この主情報印字部（２）に対して小形の情報被覆部（３，４）とが設けられ、
前記展開シート（５）を折り畳んで前記主情報印字部（２）及び情報被覆部（３，４）を重ね合わせて一枚のカード状体（６）にした状態で、前記カード状体（６）の一面側から前記主情報印字部（２）及び情報被覆部（３，４）の各外周部に跨るように前記フィルム（７，８）が貼付され、
前記フィルム（７，８）における前記情報被覆部（３，４）の外縁の一部に沿う部位に、前記情報被覆部（３，４）を剥がす際の起点となるカット（１１，１２）が形成され、
前記カット（１１，１２）には、前記情報被覆部（３，４）を剥がす際に破断する易破断部（１１ｃ，１２ｃ）が設けられることを特徴とする。
請求項２記載した発明は、
前記カット（１１，１２）が、前記情報被覆部（３，４）の外縁に沿うように配された第一及び第二カット部（１１ａ，１１ｂ，１２ａ，１２ｂ）を有し、これら各カット部（１１ａ，１１ｂ，１２ａ，１２ｂ）間に、前記易破断部（１１ｃ，１２ｃ）が設けられることを特徴とする。
請求項３記載した発明は、
前記情報被覆部（３，４）が平面視矩形状であり、この情報被覆部（３，４）の開き側の少なくとも一つの角部の外縁に沿うように、前記カット（１１，１２）が設けられることを特徴とする。
請求項４に記載した発明は、
当該カード状情報保持体（１’）が二つ折りの折り畳みハガキであり、その捺印面（１ａ）とは反対側の片面（１ｂ）の全面に、前記フィルム（８）が貼付されることを特徴とする。
請求項５に記載した発明は、
当該カード状情報保持体（１）が三つ折りの折り畳みハガキであり、その捺印面（１ａ）において、前記フィルム（７）が当該カード状情報保持体（１）の外周部のみに貼付されることを特徴とする。
請求項６に記載した発明は、
当該カード状情報保持体（１）が三つ折りの折り畳みハガキであり、その捺印面（１ａ）に貼付される前記フィルム（７）が、捺印特性のあるマット調とされることを特徴とする。
請求項７に記載した発明は、
当該カード状情報保持体（１）の捺印面（１ａ）とは反対側の片面（１ｂ）の全面に、前記フィルム（８）が貼付されることを特徴とする。
【０００７】
請求項８に記載した発明は、
情報が印字された用紙（２１）をフィルム（７，８）を用いて所定の折り畳み状態に保持したカード状情報保持体（１，１’）の開封方法において、
前記用紙（２１）からなる展開シート（５）に、主情報印字部（２）と、この主情報印字部（２）に対して小形の情報被覆部（３，４）とが設けられ、
前記展開シート（５）を折り畳んで前記主情報印字部（２）及び情報被覆部（３，４）を重ね合わせて一枚のカード状体（６）にした状態で、前記カード状体（６）の一面側から前記主情報印字部（２）及び情報被覆部（３，４）の各外周部に跨るように前記フィルム（７，８）が貼付され、
前記フィルム（７，８）における前記情報被覆部（３，４）の外縁の一部に沿う部位に、前記情報被覆部（３，４）を剥がす際の起点となるカット（１１，１２）が形成され、
前記カット（１１，１２）には、前記情報被覆部（３，４）を剥がす際に破断する易破断部（１１ｃ，１２ｃ）が設けられ、
前記易破断部（１１ｃ，１２ｃ）を破断した後、前記カット（１１，１２）を起点に前記フィルム（７，８）を破断しつつ、前記情報被覆部（３，４）を前記主情報印字部（２）から剥がすことを特徴とする。
【０００８】
請求項９に記載した発明は、
情報が印字された用紙（２１）をフィルム（７，８）を用いて所定の折り畳み状態に保持したカード状情報保持体（１，１’）の製造方法において、
前記用紙（２１）を所定の展開形状に切断して展開シート（５）とする用紙切断工程（Ｓ１）と、
前記展開シート（５）の主情報印字部（２）とこれに対して小形の情報被覆部（３，４）との合わせ面に糊を塗布する糊塗布工程（Ｓ２）と、
前記展開シート（５）を折り畳んで前記主情報印字部（２）及び情報被覆部（３，４）を重ね合わせて一枚のカード状体（６）にする折り畳み工程（Ｓ３）と、
前記カード状体（６）の一面側から前記主情報印字部（２）及び情報被覆部（３，４）の各外周部に跨るように前記フィルム（７，８）を貼付するフィルム貼付工程（Ｓ４，Ｓ７）と、
前記フィルム（７，８）における前記情報被覆部（３，４）の外縁の一部に沿う部位に前記情報被覆部（３，４）を剥がす際の起点となりかつ前記情報被覆部（３，４）を剥がす際に破断する易破断部（１１ｃ，１２ｃ）を有するカット（１１，１２）を形成するカット形成工程（Ｓ６，Ｓ１１）と、
を備えることを特徴とする。
請求項１０に記載した発明は、
当該カード状情報保持体（１’）が二つ折りの折り畳みハガキであり、
前記フィルム貼付工程（Ｓ４）が、前記捺印面（１ａ）とは反対側の片面（１ｂ）の全面に前記フィルム（８）を貼付する裏側フィルム貼付工程（Ｓ４）を有することを特徴とする。
請求項１１に記載した発明は、
当該カード状情報保持体（１）が三つ折りの折り畳みハガキであり、
前記フィルム貼付工程（Ｓ４，Ｓ７）が、当該カード状情報保持体（１）の捺印面（１ａ）の外周部のみに前記フィルム（７）を貼付する表側フィルム貼付工程（Ｓ７）と、前記捺印面（１ａ）とは反対側の片面（１ｂ）の全面に前記フィルム（８）を貼付する裏側フィルム貼付工程（Ｓ４）とを有することを特徴とする。
請求項１２に記載した発明は、
前記表側フィルム貼付工程（Ｓ７）の前に、前記捺印面（１ａ）に貼付する前記フィルム（７）を矩形状の前記カード状体（６）の外周部に沿ってカットするフィルムカット工程（Ｓ８）を備えることを特徴とする。
請求項１３に記載した発明は、
前記展開シート（５）が複数連続して形成されると共に、前記フィルム（７）が前記展開シート（５）に合わせて複数連続して形成され、
前記フィルムカット工程（Ｓ８）が、前記捺印面（１ａ）に貼付する前記フィルム（７）を矩形状の前記カード状体（６）の外周四辺に沿うロ字形状にカットすると共に、複数の前記フィルム（７）を梯子形に連続させることを特徴とする。
請求項１４に記載した発明は、
前記展開シート（５）が複数連続して形成されると共に、前記フィルム（７）が前記各展開シート（５）に合わせて複数連続して形成され、
前記フィルムカット工程（Ｓ８）が、前記捺印面（１ａ）に貼付する前記フィルム（７）を矩形状の前記カード状体（６）の外周三辺に沿うコ字形状にカットすると共に、複数の前記フィルム（７）を櫛形に連続させることを特徴とする。
【０００９】
請求項１５に記載した発明は、
情報が印字された用紙（２１）をフィルム（７，８）を用いて所定の折り畳み状態に保持したカード状情報保持体（１，１’）の製造装置（２０）において、
前記用紙（２１）を所定の展開形状に切断して展開シート（５）とする用紙切断部（２４）と、
前記展開シート（５）の主情報印字部（２）とこれに対して小形の情報被覆部（３，４）との合わせ面に糊を塗布する糊塗布部（２５）と、
前記展開シート（５）を折り畳んで前記主情報印字部（２）及び情報被覆部（３，４）を重ね合わせて一枚のカード状体（６）にする折り畳み部（２６）と、
前記カード状体（６）の一面側から前記主情報印字部（２）及び情報被覆部（３，４）の各外周部に跨るように前記フィルム（７，８）を貼付するフィルム貼付部（２７，３２）と、
前記フィルム（７，８）における前記情報被覆部（３，４）の外縁の一部に沿う部位に前記情報被覆部（３，４）を剥がす際の起点となりかつ前記情報被覆部（３，４）を剥がす際に破断する易破断部（１１ｃ，１２ｃ）を有するカット（１１，１２）を形成するカット形成部（３１，３７）と、
を備えることを特徴とする。
【発明の効果】
【００１０】
この発明によれば、フィルム被覆密着方式を採用することで、予め感圧接着剤を塗布した専用紙を必要とせず、製造コストの低減を図ることができる。また、上質紙等の一般用紙を採用可能となり、保管使用有効期限が事実上無くなるため、在庫リスクや廃棄コストの低減を図ることができる。
また、市販の密着用糊を使用することで、特別な塗工環境を不要として設備運用負荷を抑えると共に、フィルムに塗工済みの熱可塑性の接着層を用いて接着を行うことで、湿温度環境の変動要因の歩留まりへの影響を抑えることができる。
また、フィルムに基材及び熱可塑性樹脂からなる一般的な二層フィルムを使用でき、材料コストの低減を図ることができる。
また、フィルムに開封用のカットを設けて物理的に破壊して開封することで、開封痕跡が残るようにし、かつ用紙に開封時の物理的なストレスによりカールを生じさせることで、アイロン等で簡単に密着復元加工ができないようにして、親展性を確保することができる。
また、フィルムに帯電防止加工を実施しておくことで、郵便番号区分機等でフィルムが擦られて静電気を発生させて当該カード状情報保持体同士が密着してしまうことを回避できる。
また、フィルム被覆面の光沢により印刷内容を引き立たせることが可能となり、提供サービス等の案内のアイキャッチ効果を期待できる。
【図面の簡単な説明】
【００１１】
【図１】本発明の一実施形態における三つ折りの親展ハガキの表面側の平面図である。
【図２】上記親展ハガキの裏面側の平面図である。
【図３】上記親展ハガキの展開斜視図である。
【図４】上記親展ハガキの分解斜視図である。
【図５】上記親展ハガキの開封時の要部の状態を（ａ）、（ｂ）の順で示した斜視図である。
【図６】上記親展ハガキの製造方法の概略を示すフロー図である。
【図７】上記親展ハガキの製造装置の概略を示す構成図である。
【図８】上記製造装置の用紙切断部を示す平面図である。
【図９】上記製造装置の糊塗布部及び折り畳み部を示す斜視図である。
【図１０】上記製造装置の裏側フィルム貼付部を示す斜視図である。
【図１１】上記製造装置の第一フィルムカット部を示す平面図である。
【図１２】上記製造装置の表側フィルム貼付部を示す斜視図である。
【図１３】（ａ）、（ｂ）共、上記表側フィルム貼付部の変形例を示す斜視図である。
【図１４】（ａ）は本発明の一実施形態における二つ折りの親展ハガキの表面側の平面図、（ｂ）は（ａ）の親展ハガキの裏面側の平面図である。
【図１５】（ａ）は図１４の親展ハガキの展開斜視図、（ｂ）は図１４の親展ハガキの分解斜視図である。
【発明を実施するための形態】
【００１２】
以下、本発明の実施形態について図面を参照して説明する。
図１，２は、本願発明の一例としての三つ折りの親展ハガキ（カード状情報保持体）１を示す。
親展ハガキ１は、ハガキ本体たる矩形状の主情報印字部２と、この主情報印字部２に印字された親展情報を隠蔽する表側及び裏側情報被覆部３，４とを一体に有する。
なお、本実施形態は二つ折りの親展ハガキも含み、この例は後に図１４，１５を参照して説明する。
【００１３】
図３を併せて参照し、各情報被覆部３，４は主情報印字部２よりも小形の矩形状をなし、これらが主情報印字部２の両側に連なって一体の展開シート５を形成する。この展開シート５をＺ字形状（三つ折り形状）に折り畳み、主情報印字部２の表裏面（印字面）を各情報被覆部３，４でそれぞれ覆うようにこれらを重ね合わせて一枚のカード状体６とする
【００１４】
その後、図１，４に示すように、カード状体６の表面６ａ側から、表側情報被覆部３の外周部とその外周側に位置する主情報印字部２の外周部とに跨るように、表側フィルム７を貼付すると共に、図２，４に示すように、カード状体６の裏面６ｂ側から、裏側情報被覆部４の外周部とその外周側に位置する主情報印字部２の外周部とに跨るように、裏側フィルム８を貼付する。
【００１５】
これにより、前述の折り畳み状態を保持した親展ハガキ１が構成される。なお、親展情報は主情報印字部２の表裏面を主に印字されるが、その一部又は全部を各情報被覆部３，４の裏面（主情報印字部２との合わせ面）に印字してもよい。
【００１６】
図１，４に示すように、親展ハガキ１の表面（捺印面）１ａには、その外周部にのみ表側フィルム７が貼付される。表側フィルム７は、親展ハガキ１における表側情報被覆部３の基端側（屈曲側）の側辺を除く三辺に沿う平面視コ字形状に形成される。この表側フィルム７が、表側情報被覆部３の前記三辺に沿う外周部と主情報印字部２の前記三辺に沿う外周部とに渡って貼付されることで、表側情報被覆部３が前述の折り畳み状態に保持されると共に、親展ハガキ１の表面１ａの内周側の捺印特性が確保される。なお、親展ハガキ１の表面１ａの全面に捺印特性を有するマット調の表側フィルム７を貼付した構成としてもよい。
【００１７】
図２，４に示すように、親展ハガキ１の裏面１ｂには、その全面に裏側フィルム８が貼付される。この裏側フィルム８が、裏側情報被覆部４の基端側（屈曲側）の側辺を除く三辺に沿う外周部と主情報印字部２の前記三辺に沿う外周部とに渡って貼付されることで、裏側情報被覆部４が前述の折り畳み状態に保持されると共に、親展ハガキ１の裏面１ｂの艶出しによるアイキャッチ効果が得られる。
【００１８】
図１を参照し、表側フィルム７には、平面視矩形状の表側情報被覆部３の上下（天地）の角部に沿うように、平面視ハ字形状をなす表側カット１１がそれぞれ形成される。
同様に、図２を参照し、裏側フィルム８には、平面視矩形状の裏側情報被覆部４の上下（天地）の角部に沿うように、平面視ハ字形状をなす裏側カット１２がそれぞれ形成される。
【００１９】
表側カット１１は、表側情報被覆部３を主情報印字部２から剥がす（親展ハガキ１の表側を開封する）際の起点となるもので、表側情報被覆部３の上辺又は下辺に沿う第一カット部１１ａと、表側情報被覆部３の末端側（開き側）の側辺に沿う第二カット部１１ｂと、各カット部１１ａ，１１ｂ間に設けられる易破断部１１ｃとを有する。
【００２０】
易破断部１１ｃは、例えば各カット部１１ａ，１１ｂ間に０．１〜１．０ｍｍ程度の幅で切り残された部位であり、親展ハガキ１の角部を折り曲げる等の動作で容易に破断可能である。なお、表側情報被覆部３の上下角部の何れかにのみ表側カット１１を設けた構成としてもよい。
【００２１】
同様に、裏側カット１２は、裏側情報被覆部４を主情報印字部２から剥がす（親展ハガキ１の裏側を開封する）際の起点となるもので、裏側情報被覆部４の上辺又は下辺に沿う第一カット部１２ａと、裏側情報被覆部４の末端側（開き側）の側辺に沿う第二カット部１２ｂと、各カット部１２ａ，１２ｂ間に設けられる易破断部１２ｃとを有する。
【００２２】
易破断部１２ｃは、例えば各カット部１２ａ，１２ｂ間に０．１〜１．０ｍｍ程度の幅で切り残された部位であり、親展ハガキ１の角部を折り曲げる等の動作で容易に破断可能である。なお、裏側情報被覆部４の上下角部の何れかにのみ裏側カット１２を設けた構成としてもよい。
【００２３】
図５（ａ）に示すように、親展ハガキ１の表面１ａを開封する際には、まず、表側情報被覆部３の上下角部の何れかを捲り上げる動作により、この角部の表側カット１１の易破断部１１ｃを破断する。その後、図５（ｂ）に示すように、この角部自体を引き上げることで、表側カット１１を起点に表側フィルム７を順次破断しつつ、表側情報被覆部３全体を主情報印字部２から剥がしていく。
【００２４】
また、図示は略すが、親展ハガキ１の裏面１ｂを開封する際には、まず、裏側情報被覆部４の上下角部の何れかを捲り上げる動作により、この角部の裏側カット１２の易破断部１２ｃを破断する。その後、この角部自体を引き上げることで、裏側カット１２を起点に裏側フィルム８を順次破断しつつ、裏側情報被覆部４全体を主情報印字部２から剥がしていく。
【００２５】
このように、親展ハガキ１の開封に各易破断部１１ｃ，１２ｃの破断及び各フィルム７，８の破断を要することで、例え開封後に接着し直したとしても、開封痕が確実に残るため、悪戯等による不正な開封が抑制され、印字情報の親展性が高まる。
なお、図１，２に示すように、各フィルム７，８の上下に、各情報被覆部３，４の上下辺の左右中間部に沿う第三カット部１１ｄ，１２ｄを設けてもよい。この第三カット部１１ｄ，１２ｄにより、親展ハガキ１を開封する際の各フィルム７，８の破断を各情報被覆部３，４の上下辺に沿って良好に案内できる。
【００２６】
次に、図６，７を参照し、親展ハガキ１の製造方法及び製造装置２０について説明する。
親展ハガキ１の作成は、まず、親展ハガキ１を展開した際の左右幅を有するインクジェット紙等の一般用紙に、親展ハガキ１における所定の情報を印刷することで、平坦な印刷シート２１を形成する。
【００２７】
印刷シート２１は、親展ハガキ１の上下方向で多数連なることで、親展ハガキ１の上下方向に長い帯状に形成される。この印刷シート２１をリールに巻き取ってロール紙２１ａとした状態で、ハガキ製造装置２０のシート供給部２２にセットする。なお、印刷シート２１をロール紙２１ａとせず親展ハガキ１一枚毎に独立して、又は折り形状に畳んで、ハガキ製造装置２０に供給するようにしてもよい。
【００２８】
ロール紙２１ａから繰り出した印刷シート２１は、巻き癖除去ローラ２３を通過した後、ハガキ製造装置２０の用紙切断部２４に順次搬送され、所定のハガキ展開形状に切断されて前記展開シート５となる（用紙切断工程Ｓ１）。
【００２９】
具体的には、図８を併せて参照し、用紙切断部２４では、印刷シート２１の各情報被覆部３，４の上下幅を主情報印字部２の上下幅よりも狭めるべく、各情報被覆部３，４の上下端をカットローラ２４ａにて所定幅だけ切り欠く。各印刷シート２１は上下方向で連続しているので、これらの境界部分にて各情報被覆部３，４の上端とこれに隣接する各情報被覆部３，４の下端とが同時に切除される。
【００３０】
次いで、図９を併せて参照し、連続した展開シート５をハガキ製造装置２０の糊塗布部２５に順次搬送し（糊塗布工程Ｓ２）、例えば各情報被覆部３，４の裏面に弱接着性の糊２５ａを塗布すると共に、ハガキ製造装置２０の折り畳み部２６に順次搬送し、折り畳みガイド２６ａの案内により展開シート５を三つ折り状態に折り畳む（折り畳み工程Ｓ３）。
【００３１】
これにより、展開シート５の印字面を各情報被覆部３，４で覆った一枚のカード状体６が形成される。
なお、前記糊２５ａの接着力は主情報印字部２と各情報被覆部３，４とを剥離可能に密着させる程度である。前記糊２５ａは主情報印字部２の表裏面に塗布するようにしてもよい。また、図７のハガキ製造装置２０では、糊塗布部２５及び折り畳み部２６（糊塗布工程Ｓ２及び折り畳み工程Ｓ３）を同一部位（同一工程）としているが、これらを別個の部位（工程）としてもよい。
【００３２】
次いで、図１０を併せて参照し、連続したカード状体６をハガキ製造装置２０の裏側フィルム貼付部２７に順次搬送し、カード状体６の裏面６ｂに裏側フィルム８を貼付する（裏側フィルム貼付工程Ｓ４）。なお、図１０中符号２７ａは裏側フィルム貼付部２７におけるフィルム押圧ローラを示す。
【００３３】
裏側フィルム８は、親展ハガキ１の上下方向で多数連なることで、親展ハガキ１の上下方向に長い帯状に形成される。この裏側フィルム８がリールに巻き取られてフィルムロール８ａとされた状態で、ハガキ製造装置２０の裏側フィルム供給部２８にセットされる。裏側フィルム８は、ポリプロピレン等のフィルム本体（基材）の一面に熱可塑性の樹脂層（接着層）を塗工したものである。
【００３４】
次いで、裏側フィルム８を貼付したカード状体６を、ハガキ製造装置２０の第一熱圧着部２９に順次搬送し、第一加熱炉２９ａで適宜加熱圧着を施すことで、裏側フィルム８の貼付を完了させる（第一熱圧着工程Ｓ５）。この状態で、カード状体６の裏面６ｂには、裏側情報被覆部４の外周部とその外周側に位置する主情報印字部２の外周部とに跨るように裏側フィルム８が貼付される。
【００３５】
次いで、裏側フィルム８の貼付が完了したカード状体６を、ハガキ製造装置２０の裏側カット形成部３１に順次搬送し、裏側フィルム８における裏側情報被覆部４の上下角部の外縁に沿う部位に前記裏側カット１２を形成する（裏側カット形成工程Ｓ６）。
【００３６】
次いで、図１２を併せて参照し、連続したカード状体６をハガキ製造装置２０の表側フィルム貼付部３２に順次搬送し、カード状体６の表面６ａに表側フィルム７を貼付する（表側フィルム貼付工程Ｓ７）。なお、図１２中符号３２ａは表側フィルム貼付部３２におけるフィルム押圧ローラを示す。
【００３７】
表側フィルム７は、親展ハガキ１の上下方向で多数連なることで、親展ハガキ１の上下方向に長い帯状に形成される。この表側フィルム７がリールに巻き取られてフィルムロール７ａとされた状態で、ハガキ製造装置２０の表側フィルム供給部３３にセットされる。表側フィルム７も裏側フィルム８と同様、ポリプロピレン等の基材の一面に熱可塑性の接着層を塗工したものである。
【００３８】
ここで、表側フィルム供給部３３には、予め表側フィルム７を親展ハガキ１の表面１ａの外周部に沿う枠状にカットする第一フィルムカット部３４が設けられる。
図１１を併せて参照し、第一フィルムカット部３４は、帯状に並ぶ表側フィルム７をそれぞれ親展ハガキ１の外周四辺に沿う平面視ロ字形状にカットすると共に、これら各表側フィルム７を平面視梯子形に連続させる（第一フィルムカット工程Ｓ８）。なお、図１１中符号３４ａは第一フィルムカット部３４におけるカットローラを示す。
【００３９】
平面視ロ字形状の表側フィルム７における表側情報被覆部３の基端側に位置する側辺部７ｂは、表側フィルム７を安定して連続させるために設けたもので、カード状体６には貼付されずにその外側にはみ出す（図１２参照）。この側辺部７ｂは、ハガキ製造装置２０における表側フィルム貼付部３２下流の第二フィルムカット部３５にて切断、除去される（第二フィルムカット工程Ｓ９）。
【００４０】
なお、平面視ロ字形状の表側フィルム７を親展ハガキ１の外周四辺に貼付し、第二フィルムカット部３５及びその工程を無くすようにしてもよい（図１３（ａ）参照）。また、第一フィルムカット部３４にて、帯状に並ぶ表側フィルム７を親展ハガキ１における表側情報被覆部３の基端側の側辺を除く三辺に沿う平面視コ字形状にカットすると共に、これら各表側フィルム７を平面視櫛形に連続させるようにしてもよい（図１３（ｂ）参照）。
【００４１】
次いで、表側フィルム７を貼付したカード状体６を、ハガキ製造装置２０の第二熱圧着部３６に順次搬送し、第二加熱炉３６ａで適宜加熱圧着を施すことで、表側フィルム７の貼付を完了させる（第二熱圧着工程Ｓ１０）。この状態で、カード状体６の表面６ａには、表側情報被覆部３の外周部とその外周側に位置する主情報印字部２の外周部とに跨るように表側フィルム７が貼付される。
【００４２】
次いで、表側フィルム７の貼付が完了したカード状体６を、ハガキ製造装置２０の表側カット形成部３７に順次搬送し、表側フィルム７における表側情報被覆部３の上下角部の外縁に沿う部位に前記表側カット１１を形成する（表側カット形成工程Ｓ１１）。
【００４３】
以上により、複数の親展ハガキ１がその上下方向で多数連なった状態となり、その後、ハガキ製造装置２０のハガキ天地カット部３８にて各親展ハガキ１間を切断すると共に（ハガキ天地カット工程Ｓ１２）、ハガキ製造装置２０のハガキチェック部３９にて各親展ハガキ１の連番等をチェックする（ハガキチェック工程Ｓ１３）。これらの工程を経て、各親展ハガキ１が出荷可能な状態となり、もって親展ハガキ１の製造が完了する。
【００４４】
以下、上記実施形態における親展ハガキ１の一実施例を示す。
１．材料
用紙：日本製紙  ＮＥＸＴ−ＩＪフォーム用紙１１０ｋｇ（二つ折り用）
ＮＥＸＴ−ＩＪフォーム用紙９０ｋｇ（三つ折り用）
密着用糊：住友３Ｍ  スプレー糊５５
被覆フィルム：東レ  ＯＰＰフィルム  ＮＬ８２
２．作成方法
まず、一般用紙をハガキ予定サイズとなるように天地に矩形の切り欠き加工を行った（用紙切断工程Ｓ１）。
次に、親展情報面に密着用糊２５ａをスプレー噴霧により塗布すると共に折り畳みを行った（糊塗布・折り畳み工程Ｓ２，Ｓ３）。
次に、折り畳んだカード状体６の裏面６ｂに裏側フィルム８を貼付した後（裏側フィルム貼付工程Ｓ４）、熱ローラプレス方式（１２０〜１４０℃）にて熱密着させた（第一熱圧着工程Ｓ５）。
次に、裏側フィルム８における裏側情報被覆部４の角部に沿う部位に裏側カット１２を形成した（裏側カット形成工程Ｓ６）。
次に、カード状体６の表面６ａに表側フィルム７を貼付した後（表側フィルム貼付工程Ｓ７）、熱ローラプレス方式（１２０〜１４０℃）にて熱密着させた（第二熱圧着工程Ｓ１０）。
次に、表側フィルム７における表側情報被覆部３の角部に沿う部位に表側カット１１を形成した（表側カット形成工程Ｓ１１）。
以上により、上記実施形態における親展ハガキ１を得た。
【００４５】
ここで、図１４，１５は、本願発明の一例としての二つ折りの親展ハガキ（カード状情報保持体）１’を示す。
親展ハガキ１’は、ハガキ本体たる主情報印字部２と、その裏面に印字された親展情報を隠蔽する裏側情報被覆部４とを有してＶ字形状（二つ折り形状）に折り畳まれる。この場合、裏側情報被覆部４が配される親展ハガキ１’の裏面の全面に裏側フィルム８を貼付することで、裏側情報被覆部４が前述の折り畳み状態に保持されると共に、親展ハガキ１’の表面の捺印特性が確保され、かつ親展ハガキ１’の裏面の艶出しによるアイキャッチ効果が得られる。また、裏側フィルム８に裏側カット１２を設けることで、前記親展ハガキ１の裏側と同様に開封可能である。この親展ハガキ１’の製造装置及び製造方法は、前記親展ハガキ１の製造方法に対して、表側フィルム７に係る部位及び工程を無くしたものに相当する。
【００４６】
なお、本発明はハガキ以外のカード状情報保持体にも適用可能である。この場合、主情報印字部及び情報被覆部は矩形状に限らない。また、フィルムに設けるカットは、情報被覆部の外縁に沿うように配された第一及び第二カット部、並びにこれらの間に設けられる易破断部を有していればよい。さらに、易破断部は二個所以上に設けてもよい。
そして、上記実施形態における構成は本発明の一例であり、当該発明の要旨を逸脱しない範囲で種々の変更が可能であることはいうまでもない。
【符号の説明】
【００４７】
１，１’  親展ハガキ（カード状情報保持体）
１ａ  捺印面
１ｂ  裏面（片面）
２  主情報印字部
３  表側情報被覆部（情報被覆部）
４  裏側情報被覆部（情報被覆部）
５  展開シート
６  カート状体
７  表側フィルム（フィルム）
８  裏側フィルム（フィルム）
１１  表側カット（カット）
１２  裏側カット（カット）
１１ａ，１２ａ  第一カット部
１１ｂ，１２ｂ  第二カット部
１１ｃ，１２ｃ  易破断部
２０  ハガキ製造装置（製造装置）
２１  印刷シート（用紙）
２４  用紙切断部
２５  糊塗布部
２６  折り畳み部
２７  裏側フィルム貼付部（フィルム貼付部）
３１  裏側カット形成部（カット形成部）
３２  表側フィルム貼付部（フィルム貼付部）
３７  表側カット形成部（カット形成部）
Ｓ１  用紙切断工程
Ｓ２  糊塗布工程
Ｓ３  折り畳み工程
Ｓ４  裏側フィルム貼付工程（フィルム貼付工程）
Ｓ６  裏側カット形成工程（カット形成工程）
Ｓ７  表側フィルム貼付工程（フィルム貼付工程）
Ｓ８  第一フィルムカット工程（フィルムカット工程）
Ｓ１１  表側カット形成工程（カット形成工程）
【図１】
0005450371.tif 000002
【図２】
0005450371.tif 000003
【図３】
0005450371.tif 000004
【図４】
0005450371.tif 000005
【図５】
0005450371.tif 000006
【図６】
0005450371.tif 000007
【図７】
0005450371.tif 000008
【図８】
0005450371.tif 000009
【図９】
0005450371.tif 000010
【図１０】
0005450371.tif 000011
【図１１】
0005450371.tif 000012
【図１２】
0005450371.tif 000013
【図１３】
0005450371.tif 000014
【図１４】
0005450371.tif 000015
【図１５】
0005450371.tif 000016